(57)【要約】【課題】吸湿作用、雑菌繁殖抑制作用及び保温作用を兼ね備えた食品用包装箱を提供する。【解決手段】一端を開口１０した筒状本体１の他端部側を底板２で閉塞した食品用包装箱１００であって、本体１は発泡樹脂製の板材１１で構成すると共に底板２は木製の板材２０で構成する。本体１の内側壁面における他端部側近くに沿って係合溝１２を形成し、底板２は、その周縁を前記溝１２に係合して本体１に固着して取付けて、前記包装箱を構成する。【選択図】図１
0003155981.tif 000002
【実用新案登録請求の範囲】
【請求項１】
一端を開口した筒状本体の他端部側を底板で閉塞した食品用包装箱であって、
前記本体は発泡樹脂製の板材で構成され、
前記底板は木製の板材で構成され、
前記本体は、前記本体の内側壁面における前記他端部側近くに沿って設けた係合溝を有し、
前記底板は、その周縁を前記係合溝に係合して前記本体に固定して設けてある、
ことを特徴とする、食品用包装箱。
【請求項２】
前記本体は多角形断面の筒状に形成されていることを特徴とする、請求項１に記載の食品用包装箱。
【請求項３】
前記本体は略隅丸四角形断面の筒状に形成されていることを特徴とする、請求項１に記載の食品用包装箱。
【請求項４】
前記本体は円形断面の筒状に形成されていることを特徴とする、請求項１に記載の食品用包装箱。
【考案の詳細な説明】
【技術分野】
【０００１】
本考案は、各種の弁当、その他の各種食品を収容する食品用包装箱、特に例えば、主に各種の弁当を収容する食品用包装箱に関する。
【背景技術】
【０００２】
従来、例えば各種の弁当を詰めて（収容して）持ち帰り用等に使用する弁当用の包装箱は、一般に木製（経木）の折箱が使用されている。
【０００３】
上記のような折箱は、その特性として、一般に知られているように、適当な吸湿性があり、殺菌作用（雑菌繁殖抑制作用）を有しているため、米飯等の鮮度が保持され、また、ほのかな木の香りは日本人が特に永年親しんできたものであって好ましく、したがって、古くから、おひつに代表されるように、ご飯等の保存容器として多用されている。しかるに、反面において、上記折箱は経木で造られているので、保温性が悪く、家に持ち帰る間に米飯や惣菜（おかず）が冷えてしまう問題を有している。
【０００４】
従来の他の食品用の包装箱として筒状本体と底板とを発泡樹脂で構成した折箱がある（例えば、特許文献１参照）。この特許文献１に記載の折箱（以下、「先行技術」という）によれば、上述した問題点は解消することができる。
【０００５】
しかるに、先行技術は、上記した木製の折箱が有する吸湿性、殺菌作用等、上述した特性を備えていない点において問題を有している。
【先行技術文献】
【特許文献】
【０００６】
【特許文献１】実公昭６２−３８９０５号公報
【考案の概要】
【考案が解決しようとする課題】
【０００７】
本考案は上記したような実情に鑑み、木製の折箱の有する作用効果及び先行技術の有する作用効果の両方の特性を活用し、吸湿性、殺菌作用（効果）、及び保温性（保温効果）を兼ね備えた食品用包装箱を提供することを目的とするものである。
【課題を解決するための手段】
【０００８】
上記問題を達成するため、本考案は、一端を開口した筒状本体の他端部側を底板で閉塞した食品用包装箱であって、
前記本体は発泡樹脂製の板材で構成され、
前記底板は木製の板材で構成され、
前記本体は、前記本体の内側壁面における前記他端部側近くに沿って設けた係合溝を有し、
前記底板は、その周縁を前記係合溝に係合して前記本体に固定して設けてあることを特徴とする。
【０００９】
本考案において、前記本体は多角形断面の筒状に形成することができる。
【００１０】
本考案おいて、前記本体は略隅丸四角形断面の筒状に形成することができる。
【００１１】
本考案において、前記本体は円形断面の筒状に形成することができる。
【考案の効果】
【００１２】
本考案によれば次のような作用効果を奏する。
（１）底板は木製の板材で構成されているので、その特性として吸湿作用及び雑菌繁殖抑制作用を有している。したがって、米飯その他の食品の鮮度を保持すると共に腐敗を防止することができる。また、弁当等の米飯を美味しく維持できる。
（２）筒状本体は発泡樹脂製の板材で構成されているので、その特性として保温作用（断熱作用）を有している。したがって、弁当等の食品を長時間にわたり保温することができるので、弁当等の食品を保温状態を維持して持ち帰ることができる。
【図面の簡単な説明】
【００１３】
【図１】本考案の一実施形態の食品用包装箱を示す図であって、同図（ａ）は前記包装箱の構成を概略的に示す斜視図、同図（ｂ）は同図（ａ）のＡ−Ａ線で切断し、その構成を概略的に示す拡大断面図である。
【図２】図１の食品用包装箱の筒状本体の製造工程を示す説明図であって、同図（ａ）は箱材料板の幅方向に折り線を施す工程を示す平面図、同図（ｂ）は同じく側面図である。
【図３】前記本体を構成する板材を製造する工程を示す説明図であって、同図（ａ）は平面図、同図（ｂ）は側面図、同図（ｃ）は一部を拡大して示す縦断面図、同図（ｄ）は一枚の前記板材を拡大して示す平面図、同図（ｅ）は同図（ｄ）のＢ−Ｂ線拡大断面図である。
【図４】図１に示す食品用包装箱の製造工程を説明するために示す説明図である。
【図５】前記包装箱の筒状本体の製造に使用する箱材料板の一例を示す説明図であって、同図（ａ）は前記材料板の構成を概略的に示す平面図、同図（ｂ）は同じく側面図である。
【図６】本考案の他の実施形態の食品用包装箱の構成を概略的に示す平面図である。
【図７】本考案のさらに他の実施形態の食品用包装箱の構成を概略的に示す斜視図である。
【図８】図７に示す前記包装箱の筒状本体の構成を説明するために示す説明図であって、同図（ａ）は前記本体を構成する板材全体を展開して示す図、同図（ｂ）は前記板材に形成した折り線の形成部分を拡大し、その構成を概略的に示す説明図、同図（ｃ）は前記板材を前記折り線に沿って湾曲を付して折り曲げた状態の構成を概略的に示す平面図である。
【図９】本考案のさらに他の実施形態の食品用包装箱を示す図であって、同図（ａ）は前記包装箱の構成を概略的に示す平面図、同図（ｂ）は前記包装箱の筒状本体を構成する板材に形成した折り線の部分の構成を説明するために示す説明図である。
【考案を実施するための最良の形態】
【００１４】
以下、図面を参照して本考案の食品用包装箱の実施形態の一例について説明する。
【００１５】
図１ないし図５は本考案の一実施形態（実施形態１）を示す。図１ないし図５に示すように、実施形態１の食品用包装箱１００は、一端（図１において上端）を開口１０した筒状本体１（筒状胴部）と、前記本体１の他端部側（図１において下端部側）を閉塞して設けた底板２とを有している。実施形態１の前記本体１は四角形断面（図示では長方形）の筒状に形成されている。前記本体１は所望の大きさに形成される。
【００１６】
前記本体１は発泡スチロールその他各種の発泡樹脂製の板材１１で構成されている。板材１１は長方形に形成され、前記本体１は後述するように、各折り線（罫線）に沿って折り曲げ、その両端を接着や融着等で固着して構成されている。前記本体１を構成する板材１１の肉厚は特に限定するものではなく、適当に決定できるものであるが、例えば約３．０ｍｍ〜約５．０ｍｍ程度の範囲を挙げることができる。なお、上述したように、上記範囲内に限定するものではないが、前記本体１の強度や保温作用、並びに生産コスト等を考慮して適当に決定する。
【００１７】
前記筒状本体１は、前記本体１の前記他端部側の近くに沿って設けられ、底板２が適合して係入（嵌入）する係合溝１２を有している。底板２は、後述するように、その周縁を前記溝１２に係合（嵌入）して前記本体１に固定して設けられる。これにより、前記本体１の他端部側は底板２で閉塞される。
【００１８】
前記底板２は木製の板材２０で構成されている。底板２の板材としては、吸水性（吸湿性）を保持した木製の板材を採用する。この場合、木製の板材に吸水性を保持させるには次のようにすればよい。即ち、木は本来的に吸水ないし吸湿性を有している。したがって、木製の板材の表面に漆等を塗布する等により表面処理せずに、木の地肌をそのまま表出させておけばよいものである。
前記木の種類は特に限定するものではなく、任意に選択して採用できるものであるが、一般に経木などに使用する杉やエゾ松などが好適である。但し、上述したように、上記に限定するものではない。
【００１９】
前記板材２０の肉厚は特に限定するものではなく、適当に決定できるものであるが、例えば約０．８ｍｍ〜約１．２ｍｍ程度の範囲を挙げることができる。但し、上記範囲に限定するものではないが、板材２０の肉厚があまり薄いと底板２の強度が弱くなるので好ましくない。また、板材２０の肉厚を必要以上に厚くしたものを採用すると、箱の生産コストが高くなる。そこで、上記したようなことを考慮して板材２０の肉厚を決定する。
【００２０】
前記底板２は、その周縁を係合溝１２に係合して筒状本体１に固定して取付け、食品用包装箱１００を構成する。この場合において、前記本体１は、底板２の周縁を前記溝１２に係合した後、前記本体１の板材１１の両端を接着その他の手段で固着１６して筒状本体１を構成する。なお、底板２は、その周縁を前記溝１２に係合する際に、所望に応じて接着剤等を用いて底板の周縁を前記溝１２内に接着（固着）するように構成してもよい。
【００２１】
なお、前記本体１の外側面には、所望に応じて木目模様その他の任意の模様を印刷等により施こしてもよい。上記構成を採用する場合には、本体１を構成する素材（箱材料板）として、所望の模様を印刷したものを採用する。また、前記本体１を構成する箱材料板の所定の面に所望の模様等を施した化粧用の樹脂フィルムをラミネートしたものを使用してもよい。
【００２２】
実施形態１の食品用包装箱は上記のように構成したもので、この包装箱は従来の食品用包装箱と全く同様に各種の弁当、その他の各種食品の包装用として使用するものである。なお、図示しないが、所望の上蓋を被せることも従来と同様である。
【００２３】
次に上記実施形態１の食品用包装箱の製造方法の一例につき説明する。図５には、前記包装箱の筒状本体１の製造に使用する箱材料板の一例が開示されている。この箱材料板３は、所望の幅及び長さの発泡樹脂製の板材で構成されている。
【００２４】
箱材料板３の幅及び長さは特に限定するものではないが、例えば幅約３６０ｍｍ〜約５００ｍｍ、長さ約２ｍ〜約５ｍ程度のものを採用できる。但し、上記範囲に限定するものではない。前記板３の肉厚も特に限定されるものではないが、例えば約３．０ｍｍ〜約５．０ｍｍ程度の範囲のものを採用できる。前記板３の肉厚により前記本体１を構成する板材１１の肉厚が決定される。即ち、前記板３の肉厚が前記板材１１の肉厚になる。
【００２５】
図２に示すように、前記材料板３の一方の面（筒状本体の内側になる面）に前記板材３の幅方向に向けて板３の一側から他側にかけて所定の距離間隔を存して折り線１３（Ｖカット）を平行に施す。また、材料板３を前記本体１の周方向の長さに対応する長さに切断１４する。上記工程により一次加工板材３０を得る。
【００２６】
前記加工板材３０の加工作業は従来の公知の方法により箱材料板３を作業ラインに沿って搬送し、図示しない加工部を通過させて行なえる。前記一次加工板材３０の両端、即ち、切断１４の端部は斜めにカットされる。この加工は、一次加工板材３０の両端に位置する部位における折り線１３（Ｖカット）の部位を切断するようにカット加工（切断１４）することにより行える。この加工作業も従来から公知の方法を採用して実施することができる。上記作業工程により得られた一次加工板材３０のうち、先頭部の一次加工板材３０の図２において上端に形成される切断片３１、及び最後部の一次加工板材３０の下端に形成される切断片３１（図示せず）は不使用部材であり、廃棄される。
【００２７】
次いで、図３（ａ）に示すように、上記工程により得られた一次加工板材３０を作業ラインに沿って搬送して係合溝１２の溝形成加工部及びカッター部（いずれも図示せず）を通過させ、溝形成加工部で前記加工板材３０に係合溝１２を形成すると共にカッター部で所定寸法の幅に切断１５して筒状本体１を構成する板材１１を得る。上記溝形成加工及び切断加工も従来公知の方法を採用して実施できる。
【００２８】
なお、上記したように、実施形態１では、係合溝１２の形成加工を前記切断加工と並行して一次加工板材３０に施す例を開示したが、前記溝１２の形成は折り線１３を形成加工する前、或いは折り線１３の形成加工後の段階で、箱材料板３に形成する方法を採用することもできる。上記した前記溝１２の形成方法については任意に選択して採用できるものである。
【００２９】
次に前記板材１１を各折り線１３に沿って内側に折り曲げると共に図４に示すように、底板２の周縁を係合溝１２に係合して接着剤で溝１２に接着し、板材１１の両端（斜めにカットされた面）を接着や融着等で固着１６する。これにより、食品用包装箱１００が製造される。
【００３０】
実施形態１の食品用包装箱によれば次のような作用効果を奏する。
（１）底板２は木製の板材で構成されているので、その特性として吸湿作用及び殺菌作用（雑菌繁殖抑制作用）を有している。したがって、各種の弁当その他の食品の鮮度を保持して腐敗を防止する。また、板材１１の吸湿作用により弁当の米飯（ご飲）を美味しくすることができる。
（２）筒状本体１は発泡樹脂製の板材１１で構成されているので、その特性として保温作用（断熱効果）を有している。したがって、弁当等の食品を長時間にわたり保温することができるので、保温状態を維持して弁当等の食品を持ち帰ることができる。
【００３１】
図６は、本考案の他の実施形態（実施形態２）の食品用包装箱を示す。なお、実施形態２において、実施形態１で既に説明した構成と共通する構成部等には同一符号を付して説明を省略する。この点については後述する各実施形態においても同様である。実施形態２の食品用包装箱２００は、筒状本体１の形状に特徴がある。
【００３２】
図６に示すように、実施形態２の食品用包装箱２００の筒状本体１は八角形断面の筒状に構成されている。他の構成は実施形態１と同様である。また、実施形態２の食品用包装箱は実施形態１と同様の方法により製造される。
【００３３】
実施形態２の食品用包装箱は上記のように構成され、実施形態１と同様に使用される。これにより、実施形態１と同様の作用効果を奏する。
【００３４】
図７は及び図８は、本考案のさらに他の実施形態（実施形態３）を示す。実施形態３の食品用包装箱３００は筒状本体１の構成に特徴がある。
【００３５】
図７に示すように、実施形態３の食品用包装箱３００の筒状本体１は、各角部に丸みを付与した略隅丸四角形断面の筒状に構成されている。前記本体１は、板材１１に所定の間隔を存して折り線１３Ａを形成し、各折り線１３Ａに沿って板材１１を内側に湾曲を付与して折り曲げると共に、板材１１の両端を接着等で固着１６して略隅丸四角形断面の筒状に形成されている。なお、実施形態３の板材１１の両端は斜めに切断することなく、直角状に切断されている。
【００３６】
前記各折り線１３Ａは、図８に詳細に示すように、板材１１の所定部位に、板材１１の幅方向に向けて所定の間隔を存して平行に形成した複数本（図示では５本）の切込溝１３ａ…１３ｅで構成されている。なお、切込溝１３ａ…１３ｅの構成については図８（ｂ）参照。これにより、図８（ｃ）に示すように、板材１１を各折り線１３Ａに沿って内側へ折り曲げることにより、板材１１は各折り曲げ角部（四隅部）に湾曲を付与して折り曲げられるようになっている。なお、角部の湾曲の大きさや曲率は切込溝１３ａ…１３ｅの本数や間隔等により調整することができる。他の構成は実施形態１と同様である。また、実施形態３の食品用包装箱３００は、前記切込溝１３ａ…１３ｅの形成加工作業以外は実施形態１と同様の方法により製造される。
【００３７】
実施形態３の食品用包装箱は上記のように構成され、実施形態１と同様に使用される。これにより、実施形態１と同様の作用効果を奏する。
【００３８】
図９は、本考案のさらに他の実施形態（実施形態４）を示す。実施形態４の食品用包装箱４００も筒状本体１の構成に特徴がある。
【００３９】
図９に示すように、実施形態４の食品用包装箱４００の筒状本体１は、円形断面の筒状に構成されている。前記本体１は板材１１に適当な間隔を存して折り線１３Ｂ…１３Ｂを形成し、各折り線１３Ｂに沿って板材１１を内側に全体的に湾曲を付与して折り曲げると共に板材１１の両端を接着等で固着１６して円形断面の筒状に形成されている。なお、実施形態４の板材１１の両端は実施形態３と同様に直角状に切断されている。
【００４０】
前記各折り線１３Ｂは、図９（ｂ）に詳細に示すように、実施形態３の折り線１３Ａの前記切込溝１３ａ…１３ｅと同様の切込溝で構成されている。この切込溝（前記折り線１３Ｂ）は、板材１１の幅方向に向けて所定の間隔で板材１１の全域にわたって施されている。これにより、板材１１を各折り線１３Ｂに沿って内側へ折り曲げることにより、板材１１は円形断面形状にカールして折り曲げられるようになっている。他の構成は実施形態１と同様である。また、実施形態４の食品用包装箱は、前記折り線１３Ｂの形成加工作業以外は実施形態１と同様の方法により製造される。
【００４１】
なお、実施形態４の前記折り線１３Ｂの構成は一例として開示したもので、例えば歯車状の歯を設けたロールを用いて板材１１に「ひだ状」の切込線を施す等、前記以外の形成手段を採用することができる。要は板材を円形断面形状に湾曲させて折り曲げ可能に構成すればよいものである。また、湾曲性を有する発泡樹脂材（一般にカール発泡樹脂と称されている）を採用することもできる。
【００４２】
実施形態４の食品用包装箱は上記のように構成され、実施形態１と同様に使用される。これにより、実施形態１と同様の作用効果を奏する。
【００４３】
なお、上記した各実施形態は一例として開示したもので、本考案は上記実施形態に限定されるものではなく、実用新案登録請求の範囲に記載の技術思想を越脱しない範囲内において任意に変更可能なものである。
【符号の説明】
【００４４】
１    筒状本体
２    底板
１０  開口
１１  発泡樹脂製の板材
１２  係合溝
２０  木製の板材
【図１】
0003155981.tif 000003
【図２】
0003155981.tif 000004
【図３】
0003155981.tif 000005
【図４】
0003155981.tif 000006
【図５】
0003155981.tif 000007
【図６】
0003155981.tif 000008
【図７】
0003155981.tif 000009
【図８】
0003155981.tif 000010
【図９】
0003155981.tif 000011